(57)【要約】【課題】レンジフードの排気口に取付けてある金属フィルタ等の第一フィルタに、不織布等の第二フィルタを固定させる方法として、マグネット式やクリップ式のものがある。しかし調理により、油煙の発生が増加すると、マグネット式であれば、剥れ易く、又、クリップ式であれば、クリップ自体が汚れ易く、バネ部にも影響を及ぼす可能性があり、メンテナンスにも手間がかかるため、油煙発生に対する影響を受けずに固定することができるものを備えた、フィルタ装置が必要となる。【解決手段】換気扇やレンジフードの排気口に取付けてある第一フィルタに、第二フィルタを、ばね鋼及び、フィルタ取外しを容易にさせる持ち手を備えたクリップで固定させてなるフィルタ装置を提供する。【選択図】図１
2011102666.tif 000002
【特許請求の範囲】
【請求項１】
換気扇やレンジフードの排気口に取付けてある、表面がパンチングや、スリットを設けている第一フィルタ1に、ガラス繊維や、不織布等の第二フィルタ2を、ばね鋼でなり、フィルタ取外しを容易にさせる持手を備えたフィルタ固定クリップ3で固定させ、レンジフードのフィルタ装置セット溝14に挿入してレンジフードに取付けることを特徴とする排気口用フィルタ装置。
【請求項２】
前記フィルタ固定クリップ3は、真ん中にばね機能を有する直線状のクリップ接続部4があり、その両端から、直線状のクリップ支持上部8と、クリップ支持下部9が交差するように延長しており、それぞれの先端部分が、略円状の、クリップ下部持手部5と、略円状のクリップ上部持手部6からなり、ばねで挟める一体状の構成とし、クリップ下部持手部5と、クリップ上部持手部6は、重ね合わせた第一フィルタ1と第二フィルタ2に、フィルタ固定クリップ3が斜めに装着され、フィルタ固定クリップ3の厚みを抑えることを特徴とした請求項１記載の排気口用フィルタ装置。
【請求項３】
前記フィルタ固定クリップ3は、防炎素材を用いたことを特徴とする請求項１又は請求項２に記載の排気口用フィルタ装置。
【発明の詳細な説明】
【技術分野】
【０００１】
本発明は、換気扇又は、レンジフードの排気口に使用されるフィルタを固定するクリップを取付けてなるフィルタ装置に関するものである。
【背景技術】
【０００２】
一般的に、レンジフードの排気口に取付けてあるフィルタ（以下、第一フィルタ1と称する)は、例えば金属フィルタなどがあり、従来より、その上（流入側）に不織布等のフィルタ（以下、第二フィルタ2と称する）を固定させ、ダクト内及び金属フィルタの汚れを抑えるものがある。その第二フィルタ2の固定方法として、マグネットによるものがある。しかし、調理を重ねるにつれ、発生した油煙が、フィルタ（不織布等）に付着し、油付着量が増し、油分の重さでフィルタが垂れ下がり、マグネットが外れるということがある。
【０００３】
そこで、この問題を解決する策として、第二フィルタ2に補強ネットを一体に装着し、両端部に磁石からなる固定具を着脱自在に装着したものがある（特許文献１）。しかし、この方法は、補強ネットが必要となり、油煙により汚れてしまうため、メンテナンスが必要となる。
【０００４】
また、別の方法として、専用のクリップを用い、第一フィルタ1と、第二フィルタ2を固定させる方法がある。（特許文献２）この方法は、磁石による固定と比較すると、固定力は高いため、フィルタがたれ落ちるということは考えにくいが、こちらも（特許文献１）と同様に、クリップが複雑な形状であるため、油煙が発生するにつれ、クリップばね部分に油分が付着し、メンテナンスし難いと共にクリップの稼動に問題が発生することが考えられる。
【先行技術文献】
【特許文献】
【０００５】
【特許文献１】特開平06−170140号公報
【特許文献２】特開2007-309396号公報
【発明の概要】
【発明が解決しようとする課題】
【０００６】
レンジフードの排気口に取付けてある第一フィルタ1に、第二フィルタ2を固定させる方法として、マグネットによるものがあるが、油煙により、第二フィルタ2が付着油の重みにより垂れ落ち、マグネットが剥れる恐れがある。マグネットを複数取り付けるのも手間であり、油煙の影響を受けずにフィルタを保持するような固定部材が必要となる。
【０００７】
また、レンジフードの排気口に取付けてある第一フィルタ1に、第二フィルタ2を固定させる別の方法として、クリップ式のものがある。これは、フィルタの固定はしっかりなされるが、形状が複雑であり、油煙を発生すると共に、クリップ自体が汚れ易く、バネ部にも影響を及ぼす可能性があり、メンテナンスにも手間がかかるため、油煙の影響を受けないクリップが必要となる。
【課題を解決するための手段】
【０００８】
換気扇やレンジフードの排気口に取付け、表面がパンチングや、スリットを設けている第一フィルタ1に、ガラス繊維や、不織布等の第二フィルタ2を、ばね鋼でなり、フィルタ取外しを容易にさせる持手を備えたフィルタ固定クリップ3で固定させてなる排気口用フィルタ装置（請求項１）。
換気扇やレンジフードの排気口に取付けてある第一フィルタに、第二フィルタを、ばね鋼及び、フィルタ取外しを容易にさせる持ち手を備えたクリップで固定させてなるフィルタ装置である。本発明のフィルタ固定クリップは、形状がシンプルであることから、実際の調理で発生した油煙の影響を受けることが少なく、メンテナンスも容易である。又、持ち手を取付けていることから、取り外しも容易である。持ち手の形状は限定されないが、丸型が最もよく、三角、四角であってもよい。
【０００９】
フィルタ固定クリップ3は、真ん中にクリップ接続部4があり、両端部分が、アール形状である、クリップ下部持手部5と、対角にあるクリップ上部持手部6からなり、ばねで挟める構成とし、又、クリップ下部持手部5と、クリップ上部持手部6は、ずらしており、フィルタ装着時にフィルタ固定クリップ3が斜めに装着され、フィルタ固定クリップ3の厚みを抑えるものであり、レンジフードのフィルタ装置セット溝14に挿入可能とすることを考慮した請求項１記載の排気口用フィルタ装置（請求項２）。
【００１０】
本発明フィルタ固定クリップのバネ鋼の長さ、太さは限定されない。取り付けるフィルタや、金属フィルタの形状、厚み等により、仕様を決定する。
【００１１】
フィルタ固定クリップに固定されるフィルタの素材は限定されないが、調理により、炎が発生する可能性があるため、防炎素材である必要がある（請求項３）。例えば、難燃加工を施した、ガラス繊維フィルタ、厚手不織布、薄手不織布等があげられる。
【００１２】
また、第一フィルタと第二フィルタを固定するフィルタ固定クリップの材質は、調理により、炎が発生する可能性があるため、防炎素材である必要がある。例えば、ステンレスが最も良く、その他の防炎素材であっても良い。
【発明の効果】
【００１３】
本発明は、換気扇やレンジフードの排気口に取付けてある第一フィルタに、第二フィルタを、ばね鋼及び、フィルタ取外しを容易にさせる持ち手を備えたクリップで固定させてなるフィルタ装置であり、実際の調理で発生した油煙により、第二フィルタに油が保持したとしても、フィルタは垂れ落ちることなく、確実に固定され、又、フィルタ固定クリップ形状がシンプルであるため油分が付着してもメンテナンスが容易であり、安価に製作できるクリップである。
【図面の簡単な説明】
【００１４】
【図１】本発明のフィルタ装置斜視図
【図２】本発明のフィルタ固定クリップ(a)正面図  (b)側面図
【図３】(a)レンジフードに取付ける第一フィルタ  (b)レンジフードに取付ける第一フィルタに第二フィルタをセットする状態  (c)レンジフードに取付ける第一フィルタと第二フィルタをセットした状態(d)   重ね合わせた第一フィルタと第二フィルタにフィルタ固定クリップを取付ける状態
【図４】レンジフード斜視図
【図５】レンジフード側面図（クリップの取り付け拡大図を含む）
【図６】排気口用フィルタ装置セット溝から見た図
【発明を実施するための形態】
【００１５】
本発明の実施例を図１〜図６に従って説明する。
図４は一般的なレンジフード16の外観図である。そのレンジフード12には金属フィルタ等で構成した第一フィルタ1を搭載した排気口用フィルタ装置16取り付けている。
【００１６】
図１は、本発明の排気口用フィルタ装置16であり、第一フィルタ1及び第二フィルタ2のフィルタ装置セット溝14に装着している状態を示す。図４のレンジフード12には、フィルタ装置13セットされる。
【００１７】
図２は、第一フィルタ1、第二フィルタ2を固定するためのフィルタ固定クリップの構成を示す。
フィルタ固定クリップ3は、真ん中にばね機能を有するクリップ接続部4があり、その両端から、直線状のクリップ支持上部8と、クリップ支持下部9が交差するように延長しており、それぞれの先端部分が、クリップ下部持手部5とクリップ上部持手部6から構成している。クリップ下部持手部5は、取り外しの際の安全面を考慮し、円状である。又、クリップ上部持手部6は、取り外しの際の主とした持手部となるため、クリップ下部持手部5より、大き目の円状である、ばねで挟める一体状の構成とし、クリップ下部持手部5と、クリップ上部持手部6は、第一フィルタ1と第二フィルタ2に、フィルタ固定クリップ3が斜めに装着され、フィルタ固定クリップ3の厚みを抑えるものであり、レンジフードのフィルタ装置セット溝14に挿入してレンジフードに取付けることを特徴とする排気口用フィルタ装置である。
図２のフィルタ装着時の特徴は、まず、クリップ上部持手部6を持ち、フィルタ上下部11にフィルタ挿入部7を押し当て挿入する。その際、クリップ下部持手部5及び、クリップ上部持手部6が円状であるため、挿入がし易い構造となっている。また、クリップ接続部4があたり（ストッパー）になっている。又、固定については、クリップ下部持手部5と、クリップ上部持手部6が交差させた構造となっているため、ばね力が働くと共に、フィルタ固定クリップ3固定時には、図１に示すように、クリップ接続部4がフィルタに対し斜めにセットされる。斜めにセットされることにより、フィルタ固定クリップ3取付け時の幅が抑えられ、フィルタ装置セット溝14に確実に入る構造となっている。
【００１８】
図３は、レンジフードへの第一フィルタ1、第二フィルタ2の取り付けを示す。
図３で、調理により発生する油煙を除去するための第二フィルタ2（ガラス繊維フィルタや、不織布フィルタ等）を第一フィルタ1に取り付ける方法を説明する。まず、適当にカットした第二フィルタ2を第一フィルタ1に合わせる。続いて、本発明のクリップ上部持手部6をつかみ、フィルタ挿入部7を、図３(ｄ)のようにフィルタ上下部11に押し当て装着する。
本発明のクリップ支持上部8及びクリップ支持下部9が、第一フィルタ1と第二フィルタ2に接着し、固定される。取り付け箇所は、フィルタの大きさにあわせ決定する。
【００１９】
図５は、レンジフードの側面図と、レンジフードへの取り付け部の拡大図を示す。
レンジフードにフィルタセット溝14があり、図６に示すように、クリップ接続部4について、フィルタ固定クリップ縦装着時では、厚みが出るため、フィルタ装置セット溝14に入らない場合がある。特に第二フィルタ2おいて、厚手のフィルタを使用すると、さらに入り難くなる。そこで、本発明のフィルタ固定クリップ3は、クリップ下部持手5とクリップ上部持手6をずらしているため、フィルタへ固定時には、フィルタ固定クリップ3のクリップ接続部4は本発明のフィルタ装置斜視図、図１の4、又は排気口用フィルタ装置セット溝から見た図、図６に示すように斜めに固定され、フィルタ固定クリップ3取付け時の幅が抑えられ、フィルタ装置セット溝14に確実に入る構造となっている。 
【００２０】
使用後の汚れたフィルタを取り替える際は、フィルタ固定クリップ3のクリップ上部持手部6を図３(d)のフィルタ固定クリップ上部持手部をつまむ状態10に示すように、クリップ上部持手部6部分を持ち、フィルタ装置から、汚れた第二フィルタ2を容易に取り外すことができる。続いて、クリップ上部持手部6部分を再度持ち、新しい第二フィルタ2を交換する。
【産業上の利用可能性】
【００２１】
本発明のフィルタ固定クリップは、レンジフードに取り付けている、第一フィルタ1（金属フィルタ）及び第二フィルタ2の大きさや、厚み、形状により、決定でき、汎用性がある。
【符号の説明】
【００２２】
1  第一フィルタ
2  第二フィルタ
3  フィルタ固定クリップ
4  クリップ接続部
5  クリップ下部接続部
6  クリップ上部持手部
7  フィルタ挿入部
8  クリップ支持上部
9  クリップ支持下部
10  フィルタ固定クリップ上部持手部をつまむ状態
11  フィルタ上下部
12  レンジフード
13  排気口用フィルタ装置
14  排気口用フィルタ装置セット溝
【図２】
2011102666.tif 000003
【図４】
2011102666.tif 000004
【図５】
2011102666.tif 000005
【図１】
2011102666.tif 000006
【図３】
2011102666.tif 000007
【図６】
2011102666.tif 000008